(57)【要約】      （修正有）【課題】使用者はリアルな立体音声効果を感じることができるとともに、使用者の耳を保護するヘッドフォンを提供する。【解決手段】少なくとも１個の耳フレーム６と、少なくとも１個の発声体９を含み、耳フレーム６は使用者の耳に装着可能で、発声体９は耳フレーム６に設置し、使用者の耳８と一定の距離を保持し、発声体９が発する音声は使用者の耳前方に位置する。【選択図】図３
0003144023.tif 000002
【実用新案登録請求の範囲】
【請求項１】
立体音声イメージフォワードヘッドフォンであって、
使用者の耳に装着可能な少なくとも１個の耳フレームと、
該耳フレームに設置し、使用者の耳と一定の距離を保持し、該発声体が発する音声は該使用者の耳前方に位置する少なくとも１個の発声体と、を含むことを特徴とする、
立体音声イメージフォワードヘッドフォン。
【考案の詳細な説明】
【技術分野】
【０００１】
本考案は立体音声イメージフォワードヘッドフォンに関し、特に耳フレーム上に設置する発声体を利用し、それが発する音声は該使用者の前方に位置する立体音声イメージフォワードヘッドフォンに関する。
【背景技術】
【０００２】
ヘッドフォン（イヤーホーン）は現代生活では使用率が極めて高い製品の一つである。
図１および図２に示すように、公知のヘッドフォン（イヤーホーン）の発声体はすべて使用者の耳に密着している。
耳収容式イヤーホーン１、或いは耳カバー式ヘッドフォン２は共に、その発声体３が使用者の耳４に密着した状態で音を発し、しかもできるだけ直接音楽を送り込もうとしている。
【０００３】
これは騒音排除の効果を有するが、大多数の音楽は自然環境中では使用者の耳４に位置するものであるため、公知のヘッドフォン（イヤーホーン）の音の像は両耳間に位置する耳道中に形成され、立体音像の距離感が消失してしまう問題がある。
しかも公知のヘッドフォン（イヤーホーン）は使用者の耳４に密着するため、長時間の使用に伴い使用者の聴力が低下する恐れがある。
また人の耳は、音声の出所に対する識別能力を備えるため、同一音源が左右両耳に到達する時間に差があれば、使用者は音声方向を識別することができる。
但し、上記したように、公知のヘッドフォン（イヤーホーン）の設計は左右の耳それぞれに音声を聞かせるため、音の像は使用者の両耳間の耳道中に形成される。
しかし、音声の識別と大脳の経験法則には関連があり、ヘッドフォン（イヤーホーン）が発する音楽は、「本当の音楽」の録音を再現したもので、これら「本当の音楽」は、それが例えばポップス、クラッシック、他の音楽のライブ演奏のどれであろうと、すべてその音源はもともとは使用者の耳前方に位置するものである。
【０００４】
しかし、公知のヘッドフォン（イヤーホーン）の設計では、音の像は使用者両耳間の耳道中に形成される。
音声心理学原理に基づけば、人類の大脳は音声の出所を識別しようと絶えず試みている。
にも関わらず、上記状態の下では音声の出所を確実に識別することはできない。
このため、遂には一種の潜在意識の緊張を招いてしまう。
よって公知のヘッドフォン（イヤーホーン）を長く使用すると、使用者が非常に疲労してしまう。
よって、耳フレームに設置する発声体を利用し、該発声体と使用者の耳に一定の距離を保持させ、しかも発する音声は該使用者の耳前方に位置し、使用者はリアルな立体音声效果を感じることができ、さらに長時間のヘッドフォン（イヤーホーン）使用によっても聴力が損傷を受ける状況は発生せず、使用者の耳を保護することができる立体音声イメージフォワードヘッドフォンを考案することが、本考案が目指すところである。
【考案の開示】
【考案が解決しようとする課題】
【０００５】
本考案は上記した公知技術の欠点に鑑みて成されたもので、本考案の目的は耳フレーム上に設置する発声体を利用し、それが発する音声は該使用者の前方に位置し、使用者はリアルな立体音声効果を感じることができる立体音声イメージフォワードヘッドフォンを提案することにある。
さらに本考案の他の目的は、耳フレームに設置する発声体を利用し、該発声体と使用者の耳に一定の距離を保持させ、しかも発する音声は該使用者の耳前方に位置し、使用者はリアルな立体音声効果を感じることができ、さらに、長時間のヘッドフォン（イヤーホーン）使用により聴力が損傷を受ける状況の発生を防止し、使用者の耳を保護することができる立体音声イメージフォワードヘッドフォンを提供することである。
【課題を解決するための手段】
【０００６】
上記課題を解決するため、本考案は下記の立体音声イメージフォワードヘッドフォンを提供する。
立体音声イメージフォワードヘッドフォンは少なくとも１個の耳フレーム、少なくとも１個の発声体を含み、
該少なくとも１個の耳フレームは使用者の耳に装着可能で、
該少なくとも１個の発声体は該耳フレームに設置し、使用者の耳と一定の距離を保持し、該発声体が発する音声は該使用者の耳前方に位置する。
【考案の効果】
【０００７】
上記のように、本考案は耳フレームに設置する発声体を利用し、該発声体と使用者の耳に一定の距離を保持させ、しかも発する音声は該使用者の耳前方に位置し、こうして使用者はリアルな立体音声効果を感じることができる。
【考案を実施するための最良の形態】
【０００８】
以降に図面を参照しながら、本考案の具体的な実施例について詳述する。
図３は本考案第一最適具体実施例の立体音声イメージフォワードヘッドフォン断面図である。
図３に示すように、該立体音声イメージフォワードヘッドフォン５は少なくとも１個の耳フレーム６、少なくとも１個の発声体９を含む。
少なくとも１個の耳フレーム６（本実施例では左右各１個）は使用者７の耳８に装着することができる。
少なくとも１個の発声体９は該耳フレーム６に設置し、該使用者７の耳８と一定の距離を保持し、該発声体９が発する音声は該使用者７の耳８前方に位置する。
【０００９】
立体音声イメージフォワードヘッドフォン５はさらに信号入力装置１０を含み、音声信号を該立体音声イメージフォワードヘッドフォン５に入力する。
本第一の最適の実施例において信号入力装置１０は無線信号入力装置であるが、有線信号入力装置とすることもできる。
本考案の立体音声イメージフォワードヘッドフォン５はさらに電池等の電源装置（図示なし）及び音制御装置（図示なし）を含む。
電源装置及び音制御装置は、立体音声イメージフォワードヘッドフォン５が必要とする電源を供給し、及び該立体音声イメージフォワードヘッドフォン５の音質或いは音量を調整する。
【００１０】
図４〜図６はそれぞれ本考案に係る第２実施例〜第４実施例の立体音声イメージフォワードヘッドフォン断面図である。
図４〜図６に示すように、それと前記第一最適具体実施例の相違点は該発声体９の配置である。
但し、それも該使用者７の耳８と一定の距離を保持し、該発声体９が発する音声は該使用者７の耳８前方に位置する。
上記のように、本考案は耳フレームに設置する発声体を利用し、該発声体と使用者の耳に一定の距離を保持させ、しかも発する音声は該使用者の耳前方に位置し、使用者はリアルな立体音声效果を感じることができる。
さらに長時間のヘッドフォン（イヤーホーン）使用により聴力が損傷を受ける状況の発生を防止し、使用者の耳を保護することができる。
本考案から派生する製品は現在の市場ニーズを満たすことができるため、本考案は産業上の利用価値を備える。
【図面の簡単な説明】
【００１１】
【図１】公知の耳収容式イヤーホーンの耳フレーム俯瞰図である。
【図２】公知の耳カバー式ヘッドフォンの耳フレーム俯瞰図である。
【図３】本考案第一最適具体実施例のサラウンドヘッドフォン断面図である。
【図４】本考案第二最適具体実施例のサラウンドヘッドフォン断面図である。
【図５】本考案第三最適具体実施例のサラウンドヘッドフォン断面図である。
【図６】本考案第四最適具体実施例のサラウンドヘッドフォン断面図である。
【符号の説明】
【００１２】
１・・・・・・耳収容式イヤーホーン
２・・・・・・耳カバー式ヘッドフォン
３・・・・・・発声体
４・・・・・・耳
５・・・・・・立体音声イメージフォワードヘッドフォン
６・・・・・・耳フレーム
７・・・・・・使用者
８・・・・・・耳
９・・・・・・発声体
１０・・・・・信号入力装置
【図１】
0003144023.tif 000003
【図２】
0003144023.tif 000004
【図３】
0003144023.tif 000005
【図４】
0003144023.tif 000006
【図５】
0003144023.tif 000007
【図６】
0003144023.tif 000008